(57)【要約】【課題】角形二次電池の膨張により組電池が損傷ないし破損することを防止する。【解決手段】  複数の角形二次電池２０がスペーサ６０を介して配置された組電池１００において、角形二次電池２０は、長尺状の正極板と長尺状の負極板を長尺状のセパレータを介して巻回した偏平状の巻回電極体と、巻回電極体を収容する角形外装体と、角形外装体の開口を封口する封口板を備える。巻回電極体は、一方の端部に巻回された正極芯体露出部を有し、他方の端部に巻回された負極芯体露出部を有する。正極芯体露出部に正極集電体が接合されて正極接合部が形成され、負極芯体露出部に負極集電体が接合されて負極接合部が形成されている。正極接合部及び負極接合部を基準として、角形二次電池２０においてスペーサ６０に押圧されない領域を規定することにより反力を低減する。【選択図】図３
2018156838.tif 000002
【特許請求の範囲】
【請求項１】
複数の角形二次電池がスペーサを介して配置された組電池であって、
前記角形二次電池は、
正極活物質合剤層を有する長尺状の正極板と、負極活物質合剤層を有する長尺状の負極板を、長尺状のセパレータを介して巻回した偏平状の巻回電極体と、
開口、底部、一対の第１側壁、及び一対の第２側壁を有し、前記巻回電極体を収容する角形外装体と、
前記開口を封口する封口板と、を備え、
前記第１側壁の面積は前記第２側壁の面積よりも大きく、
前記巻回電極体は、前記一対の第２側壁の一方側に配置される巻回された正極芯体露出部と、前記一対の第２側壁の他方側に配置される巻回された負極芯体露出部とを有し、
前記正極芯体露出部に正極集電体が接合されて正極接合部が形成され、
前記負極芯体露出部に負極集電体が接合されて負極接合部が形成され、
前記巻回電極体は、前記正極活物質合剤層と前記負極活物質合剤層が前記セパレータを介して積層された発電部を有し、
前記発電部は、平坦な外面を有する平坦部と、湾曲した外面を有し前記平坦部よりも前記封口板側に位置する第１湾曲部と、湾曲した外面を有し前記平坦部よりも前記底部側に位置する第２湾曲部を有し、
前記平坦部と前記第１湾曲部の境界を第１境界部とし、前記平坦部と前記第２湾曲部の境界を第２境界部とし、
前記底部に対して垂直な方向において、前記正極接合部の前記封口板側の端部と、前記第１境界部との間の距離をＬ１とし、前記底部に対して垂直な方向において、前記発電部のうち前記正極接合部の前記封口板側の端部から前記第１境界部に向かって０．２５×Ｌ１から０．７５×Ｌ１の領域を第１領域とし、
前記底部に対して垂直な方向において、前記負極接合部の前記封口板側の端部と、前記第１境界部との間の距離をＬ２とし、前記底部に対して垂直な方向において、前記発電部のうち前記負極接合部の前記封口板側の端部から前記第１境界部に向かって０．２５×Ｌ２から０．７５×Ｌ２の領域を第２領域とし、
前記底部に対して垂直な方向において、前記正極接合部の前記底部側の端部と、前記第２境界部との間の距離をＬ３とし、前記底部に対して垂直な方向において、前記発電部のうち前記正極接合部の前記底部側の端部から前記第２境界部に向かって０．２５×Ｌ３から０．７５×Ｌ３の領域を第３領域とし、
前記底部に対して垂直な方向において、前記負極接合部の前記底部側の端部と、前記第２境界部との間の距離をＬ４とし、前記底部に対して垂直な方向において、前記発電部のうち前記負極接合部の前記底部側の端部から前記第２境界部に向かって０．２５×Ｌ４から０．７５×Ｌ４の領域を第４領域とし、
前記一対の第１側壁のうちの一方に対して垂直な方向から見たとき、前記一対の第１側壁のうちの一方において前記第１領域及び前記第２領域の少なくとも一方と重なる領域のうち、前記スペーサにより押圧される領域の面積は、前記一対の第１側壁のうちの一方において前記第１領域及び前記第２領域の少なくとも一方と重なる領域の面積の２０％以下であり、
前記一対の第１側壁のうちの一方に対して垂直な方向から見たとき、前記一対の第１側壁のうちの一方において前記第３領域及び前記第４領域の少なくとも一方と重なる領域のうち、前記スペーサにより押圧される領域の面積は、前記一対の第１側壁のうちの一方において前記第３領域及び前記第４領域の少なくとも一方と重なる領域の面積の２０％以下である組電池。
【請求項２】
前記一対の第１側壁のうちの他方に対して垂直な方向から見たとき、前記一対の第１側壁のうちの他方において前記第１領域及び前記第２領域の少なくとも一方と重なる領域の
うち、前記スペーサにより押圧される領域の面積は、前記一対の第１側壁のうちの他方において前記第１領域及び前記第２領域の少なくとも一方と重なる領域の面積の２０％以下であり、
前記一対の第１側壁のうちの他方に対して垂直な方向から見たとき、前記一対の第１側壁のうちの他方において前記第３領域及び前記第４領域の少なくとも一方と重なる領域のうち、前記スペーサにより押圧される領域の面積は、前記一対の第１側壁のうちの他方において前記第３領域及び前記第４領域の少なくとも一方と重なる領域の面積の２０％以下である請求項１に記載の組電池。
【請求項３】
前記一対の第１側壁のうちの一方に対して垂直な方向から見たとき、前記一対の第１側壁のうちの一方において前記平坦部と重なり、且つ前記第１領域と第３領域の間に位置する領域と重なる領域が、前記スペーサにより押圧され、
前記一対の第１側壁のうちの他方に対して垂直な方向から見たとき、前記一対の第１側壁のうちの他方において前記平坦部と重なり、且つ前記第１領域と第３領域の間に位置する領域と重なる領域が、前記スペーサにより押圧された請求項１又は２に記載の組電池。
【請求項４】
前記一対の第１側壁のうちの一方に対して垂直な方向から見たとき、前記一対の第１側壁のうちの一方において前記平坦部と重なり且つ前記第１領域、前記第２領域、前記第３領域及び前記第４領域と重ならない領域のうち、前記スペーサにより押圧される領域の面積は、前記一対の第１側壁のうちの一方において前記平坦部と重なり且つ前記第１領域、前記第２領域、前記第３領域及び前記第４領域と重ならない領域の面積の７０％以上である請求項１〜３のいずれかに記載の組電池。
【請求項５】
前記一対の第１側壁のうちの他方に対して垂直な方向から見たとき、前記一対の第１側壁のうちの他方において前記平坦部と重なり且つ前記第１領域、前記第２領域、前記第３領域及び前記第４領域と重ならない領域のうち、前記スペーサにより押圧される領域の面積は、前記一対の第１側壁のうちの他方において前記平坦部と重なり且つ前記第１領域、前記第２領域、前記第３領域及び前記第４領域と重ならない領域の面積の７０％以上である請求項４に記載の組電池。
【請求項６】
前記スペーサにおいて、前記一対の第１側壁のうちの一方に対して垂直な方向から見たとき、前記一対の第１側壁のうちの一方において前記第１領域及び前記第２領域の少なくとも一方と重なる領域と対向する部分には第１凹部が設けられ、
前記スペーサにおいて、前記一対の第１側壁のうちの一方に対して垂直な方向から見たとき、前記一対の第１側壁のうちの一方において前記第３領域及び前記第４領域の少なくとも一方と重なる領域と対向する部分には第２凹部が設けられた請求項１〜５のいずれかに記載の組電池。
【発明の詳細な説明】
【技術分野】
【０００１】
本発明は、複数の角形二次電池からなる組電池に関する。
【背景技術】
【０００２】
電気自動車（ＥＶ）やハイブリッド電気自動車（ＨＥＶ、ＰＨＥＶ）等の駆動用電源として、複数の角形二次電池が直列ないし並列に接続された組電池が使用される。
【０００３】
このような組電池においては、隣接する角形二次電池の幅広の側面同士がスペーサ等を介して対向するようにして、複数の角形二次電池が配列される。例えば、一対のエンドプレートの間に、複数の角形二次電池が配列され、一対のエンドプレート同士をバインドバーにより接続し、一つの組電池とされる（下記  特許文献１）。
【０００４】
角形二次電池としては、長尺状の正極板と長尺状の負極板を長尺状のセパレータを介して巻回した偏平状の巻回電極体を、角形の電池ケース内に収容したものが知られている。このような角形二次電池においては、充放電等により巻回電極体が膨張する。また、充放電サイクルが進むにつれ巻回電極体の膨張は大きくなる。そして、このような巻回電極体の膨張は、体積エネルギー密度が高い角形二次電池においては顕著に現れる。巻回電極体が膨張すると、巻回電極体が電池ケースを外方に押圧し、角形二次電池が膨張することになる。そして、角形二次電池が膨張し、他を押圧する力（反力）が過度に大きくなると、組電池を構成する部材、例えばバインドバーやエンドプレート等が損傷・破損する虞がある。また、角形二次電池の膨張により、角形二次電池の電池性能が低下する虞がある。
【先行技術文献】
【特許文献】
【０００５】
【特許文献１】特開２０１５−２１０９７１号公報
【発明の概要】
【発明が解決しようとする課題】
【０００６】
本発明は、角形二次電池の膨張により組電池が損傷ないし破損することを防止することを一つの目的とする。
【課題を解決するための手段】
【０００７】
本発明の一様態の組電池は、複数の角形二次電池がスペーサを介して配置された組電池であって、前記角形二次電池は、正極活物質合剤層を有する長尺状の正極板と、負極活物質合剤層を有する長尺状の負極板を、長尺状のセパレータを介して巻回した偏平状の巻回電極体と、開口、底部、一対の第１側壁、及び一対の第２側壁を有し、前記巻回電極体を収容する角形外装体と、前記開口を封口する封口板と、を備える。前記第１側壁の面積は前記第２側壁の面積よりも大きい。前記巻回電極体は、前記一対の第２側壁の一方側に配置される巻回された正極芯体露出部と、前記一対の第２側壁の他方側に配置される巻回された負極芯体露出部とを有する。前記正極芯体露出部に正極集電体が接合されて正極接合部が形成され、前記負極芯体露出部に負極集電体が接合されて負極接合部が形成される。前記巻回電極体は、前記正極活物質合剤層と前記負極活物質合剤層が前記セパレータを介して積層された発電部を有する。前記発電部は、平坦な外面を有する平坦部と、湾曲した外面を有し前記平坦部よりも前記封口板側に位置する第１湾曲部と、湾曲した外面を有し前記平坦部よりも前記底部側に位置する第２湾曲部を有する。前記平坦部と前記第１湾曲部の境界を第１境界部とし、前記平坦部と前記第２湾曲部の境界を第２境界部とする。前記底部に対して垂直な方向において、前記正極接合部の前記封口板側の端部と、前記第１
境界部との間の距離をＬ１とする。前記底部に対して垂直な方向において、前記発電部のうち前記正極接合部の前記封口板側の端部から前記第１境界部に向かって０．２５×Ｌ１から０．７５×Ｌ１の領域を第１領域とする。前記底部に対して垂直な方向において、前記負極接合部の前記封口板側の端部と、前記第１境界部との間の距離をＬ２とする。前記底部に対して垂直な方向において、前記発電部のうち前記負極接合部の前記封口板側の端部から前記第１境界部に向かって０．２５×Ｌ２から０．７５×Ｌ２の領域を第２領域とする。前記底部に対して垂直な方向において、前記正極接合部の前記底部側の端部と、前記第２境界部との間の距離をＬ３とする。前記底部に対して垂直な方向において、前記発電部のうち前記正極接合部の前記底部側の端部から前記第２境界部に向かって０．２５×Ｌ３から０．７５×Ｌ３の領域を第３領域とする。前記底部に対して垂直な方向において、前記負極接合部の前記底部側の端部と、前記第２境界部との間の距離をＬ４とする。前記底部に対して垂直な方向において、前記発電部のうち前記負極接合部の前記底部側の端部から前記第２境界部に向かって０．２５×Ｌ４から０．７５×Ｌ４の領域を第４領域とする。前記一対の第１側壁のうちの一方に対して垂直な方向から見たとき、前記一対の第１側壁のうちの一方において前記第１領域及び前記第２領域の少なくとも一方と重なる領域のうち、前記スペーサにより押圧される領域の面積は、前記一対の第１側壁のうちの一方において前記第１領域及び前記第２領域の少なくとも一方と重なる領域の面積の２０％以下である。前記一対の第１側壁のうちの一方に対して垂直な方向から見たとき、前記一対の第１側壁のうちの一方において前記第３領域及び前記第４領域の少なくとも一方と重なる領域のうち、前記スペーサにより押圧される領域の面積は、前記一対の第１側壁のうちの一方において前記第３領域及び前記第４領域の少なくとも一方と重なる領域の面積の２０％以下である。
【０００８】
発明者は、偏平状の巻回電極体を備えた角形二次電池において、正極芯体露出部と正極集電体の接合部及び負極芯体露出部と負極集電体の接合部を基準として、偏平状の巻回電極体の特定の領域が充放電等により膨張し易いことを見出した。そして、この知見に基づき、正極芯体露出部と正極集電体の接合部及び負極芯体露出部と負極集電体の接合部を基準とし、偏平状の巻回電極体の特定の領域が押圧されないようにすることで、反力を低減し、組電池を構成するエンドプレートやバインダバー等の枠体に過度の負荷が加わることを抑制できることを見出した。
【０００９】
そして、上述の一形態の組電池では、偏平状の巻回電極体において、充放電等により特に膨張し易い部分がスペーサにより押圧されない構成とすることができる。したがって、充放電等により偏平状の巻回電極体が膨張しても、反力の増加を抑制でき、組電池を構成するエンドプレートやバインダバー等の枠体に過度の負荷が加わることを抑制できる。したがって、より信頼性の高い組電池となる。
【００１０】
なお、角形二次電池の一対の幅広の側壁、即ち一対の第１側壁のうち、少なくとも一方において、スペーサにより押圧されていない領域が設けられていれば、その押圧されていない領域における反力の増加は抑制される。したがって、角形二次電池の一対の第１側壁のうち、少なくとも一方において、スペーサによる押圧状態を特定の状態とすることにより、反力の増加を抑制できる。
【００１１】
前記一対の第１側壁のうちの他方に対して垂直な方向から見たとき、前記一対の第１側壁のうちの他方において前記第１領域及び前記第２領域の少なくとも一方と重なる領域のうち、前記スペーサにより押圧される領域の面積は、前記一対の第１側壁のうちの他方において前記第１領域及び前記第２領域の少なくとも一方と重なる領域の面積の２０％以下であることが好ましい。また、前記一対の第１側壁のうちの他方に対して垂直な方向から見たとき、前記一対の第１側壁のうちの他方において前記第３領域及び前記第４領域の少なくとも一方と重なる領域のうち、前記スペーサにより押圧される領域の面積は、前記一
対の第１側壁のうちの他方において前記第３領域及び前記第４領域の少なくとも一方と重なる領域の面積の２０％以下であることが好ましい。
【００１２】
角形二次電池の一対の第１側壁の両方において、特定の領域がスペーサにより押圧されていない状態とすることにより、反力の増加をより効果的に抑制できる。
【００１３】
前記一対の第１側壁のうちの一方に対して垂直な方向から見たとき、前記一対の第１側壁のうちの一方において前記平坦部と重なり、且つ前記第１領域と第３領域の間に位置する領域と重なる領域が、前記スペーサにより押圧されることが好ましい。
前記一対の第１側壁のうちの他方に対して垂直な方向から見たとき、前記一対の第１側壁のうちの他方において前記平坦部と重なり、且つ前記第１領域と第３領域の間に位置する領域と重なる領域が、前記スペーサにより押圧されることが好ましい。
【００１４】
角形二次電池の一対の第１側壁において、巻回電極体の発電部に対向し、且つ、膨張し難い領域をスペーサにより押圧することが好ましい。このような構成であると、組電池に強い衝撃や振動が加わったとしても、巻回電極体が角形外装体内で動くことを確実に防止できる。
【００１５】
前記一対の第１側壁のうちの一方に対して垂直な方向から見たとき、前記一対の第１側壁のうちの一方において前記平坦部と重なり且つ前記第１領域、前記第２領域、前記第３領域及び前記第４領域と重ならない領域のうち、前記スペーサにより押圧される領域の面積は、前記一対の第１側壁のうちの一方において前記平坦部と重なり且つ前記第１領域、前記第２領域、前記第３領域及び前記第４領域と重ならない領域の面積の７０％以上であることが好ましい。
【００１６】
角形二次電池の一対の第１側壁の少なくとも一方において、巻回電極体の発電部に対向し、且つ、膨張し難い領域をスペーサにより押圧することが好ましい。このような構成であると、組電池に強い衝撃や振動が加わったとしても、巻回電極体が角形外装体内で動くことを確実に防止できる。
【００１７】
前記一対の第１側壁のうちの他方に対して垂直な方向から見たとき、前記一対の第１側壁のうちの他方において前記平坦部と重なり且つ前記第１領域、前記第２領域、前記第３領域及び前記第４領域と重ならない領域のうち、前記スペーサにより押圧される領域の面積は、前記一対の第１側壁のうちの他方において前記平坦部と重なり且つ前記第１領域、前記第２領域、前記第３領域及び前記第４領域と重ならない領域の面積の７０％以上であることが好ましい。
【００１８】
角形二次電池の一対の第１側壁の両方において、巻回電極体の発電部に対向し、且つ、膨張し難い領域をスペーサにより押圧することが好ましい。このような構成であると、組電池に強い衝撃や振動が加わったとしても、巻回電極体が角形外装体内で動くことをより確実に防止できる。なお、角形二次電池の一対の第１側壁のそれぞれにおいて、スペーサにより押圧される部分は異なっていてもよい。
【００１９】
前記スペーサにおいて、前記一対の第１側壁のうちの一方に対して垂直な方向から見たとき、前記一対の第１側壁のうちの一方において前記第１領域及び前記第２領域の少なくとも一方と重なる領域と対向する部分には第１凹部が設けられていることが好ましい。
前記スペーサにおいて、前記一対の第１側壁のうちの一方に対して垂直な方向から見たとき、前記一対の第１側壁のうちの一方において前記第３領域及び前記第４領域の少なくとも一方と重なる領域と対向する部分には第２凹部が設けられていることが好ましい。
【００２０】
スペーサにおいて、角形二次電池の第１側壁と対向する面の特定の領域に凹部を設けることにより、角形二次電池の第１側壁の特定の領域がスペーサにより押圧されないようにすることが好ましい。
【発明の効果】
【００２１】
本発明によると、角形二次電池の膨張により組電池が損傷ないし破損することを防止することができる。
【図面の簡単な説明】
【００２２】
【図１】実施形態に係る角形二次電池の斜視図である。
【図２】図２Ａは図１におけるＩＩＡ−ＩＩＡ断面の断面図であり、図２Ｂは図１におけるＩＩＢ−ＩＩＢ断面の断面図である。
【図３】実施形態に係る組電池の斜視図である。
【図４】正極板の平面図である。
【図５】負極板の平面図である。
【図６】実施形態に係る巻回電極体の平面図である。
【図７】実施形態に係るスペーサの斜視図である。
【図８】各サンプルの構成を説明する図である。
【図９】サンプル１における角形二次電池及び押圧治具の断面図である。
【図１０】サンプル２における角形二次電池及び押圧治具の断面図である。
【図１１】サンプル３における角形二次電池及び押圧治具の断面図である。
【図１２】サンプル４における角形二次電池及び押圧治具の断面図である。
【図１３】変形例に係る巻回電極体の平面図である。
【図１４】変形例に係る巻回電極体の平面図である。
【図１５】変形例に係るスペーサの斜視図である
【発明を実施するための形態】
【００２３】
まず、実施形態に係る角形二次電池２０について説明を行う。図１は角形二次電池２０の斜視図である。図２Ａは図１におけるＩＩＡ−ＩＩＡ断面の断面図である。図２Ｂは図１におけるＩＩＢ−ＩＩＢ断面の断面図である。角形二次電池２０は、開口を有する有底角形筒状の角形外装体１と角形外装体１の開口を封口する封口板２からなる電池ケースを有する。角形外装体１は、底部１ａ、一対の第１側壁１ｂ、一対の第２側壁１ｃを有する。一対の第１側壁１ｂはそれぞれ対向するように配置されている。一対の第２側壁１ｃはそれぞれ対向するように配置されている。第１側壁１ｂの面積は、第２側壁１ｃの面積よりも大きい。
【００２４】
角形外装体１内には、長尺状の正極板４０と長尺状の負極板５０を長尺状のセパレータを介して巻回した偏平状の巻回電極体３が配置される。巻回電極体３はその巻回軸が角形外装体１の底部１ａと平行になる向きで角形外装体１内に配置される。巻回電極体３において、巻回軸が延びる方向の一方の端部には巻回された正極芯体露出部４が設けられ、他方の端部には巻回された負極芯体露出部５が設けられている。巻回電極体３は、一対の平坦な外面と、一対の平坦な外面を繋ぐ一対の湾曲した外面を有する。一対の平坦な外面は、それぞれ第１側壁１ｂと対向するように配置される。また、巻回された正極芯体露出部４及び巻回された負極芯体露出部５は、それぞれ第２側壁１ｃと対向するように配置される。なお、角形外装体１と巻回電極体３の間には電気絶縁性の樹脂シート１４が配置されている。
【００２５】
巻回された正極芯体露出部４の外面には正極集電体６が接続されている。封口板２には正極端子７が取り付けられている。正極集電体６は正極端子７に電気的に接続されている。正極端子７と封口板２の間には樹脂製の外部側絶縁部材１０が配置されている。正極集
電体６と封口板２の間には樹脂製の内部側絶縁部材１１が配置されている。
【００２６】
巻回された負極芯体露出部５の外面には負極集電体８が接続されている。封口板２には負極端子９が取り付けられている。負極集電体８は負極端子９に電気的に接続されている。負極端子９と封口板２の間には樹脂製の外部側絶縁部材１２が配置されている。負極集電体８と封口板２の間には樹脂製の内部側絶縁部材１３が配置されている。
【００２７】
巻回された正極芯体露出部４において、正極集電体６が接続された面と反対側の面には、正極集電体受け部品（図示省略）が接続されている。巻回された負極芯体露出部５において、負極集電体８が接続された面と反対側の面には、負極集電体受け部品８０が接続されている。但し、正極集電体受け部品及び負極集電体受け部品８０は必須の構成ではなく、省略することもできる。
【００２８】
正極集電体６は、正極芯体露出部４に接続される接続部６ａと、封口板２と巻回電極体３の間に配置されるベース部６ｃと、ベース部６ｃから巻回電極体３に向かって延びベース部６ｃと接続部６ａを繋ぐリード部６ｂを有する。接続部６ａは、巻回された正極芯体露出部４上に配置される。負極集電体８は、負極芯体露出部５に接続される接続部８ａと、封口板２と巻回電極体３の間に配置されるベース部８ｃと、ベース部８ｃから巻回電極体３に向かって延びベース部８ｃと接続部８ａを繋ぐリード部８ｂを有する。接続部８ａは、巻回された負極芯体露出部５上に配置される。
【００２９】
封口板２には、角形外装体１内の圧力が所定値以上となった際に破断し、角形外装体１内のガスを角形外装体１外に排出するガス排出弁１５が設けられている。また、封口板２には電解液注液孔が設けられており、電解液注液孔は封止栓１６により封止されている。
【００３０】
次に複数の角形二次電池２０からなる組電池１００について説明する。
【００３１】
図３は、組電池１００の斜視図である。一対の金属製のエンドプレート１０１の間に、１０個の角形二次電池２０が配置されている。一対のエンドプレート１０１は、金属製のバインドバー１０２により接続されている。なお、バインドバー１０２はボルト１０３によりエンドプレート１０１に固定されている。組電池１００においては、一方の側面に２つのバインドバー１０２が配置され、他方の側面に２つのバインドバー１０２が配置されている。
【００３２】
隣接する角形二次電池２０同士の間には樹脂製のスペーサ６０が配置されている。角形二次電池２０同士は、スペーサ６０を介して第１側壁１ｂ同士が対向する向きで配置されている。角形二次電池２０の正極端子７は、隣接する角形二次電池２０の負極端子９と金属製のバスバー１０４により電気的に接続されている。組電池１００においては、各スペーサ６０が、対向する各角形二次電池２０の角形外装体１の第１側壁１ｂを押圧する構造となっている。
【００３３】
次に角形二次電池２０の製造方法について説明する。
【００３４】
［正極板の作製］
正極活物質としてのＬｉＮｉ０．３５Ｃｏ０．３５Ｍｎ０．３０Ｏ２、結着剤としてのポリフッ化ビニリデン（ＰＶｄＦ）、導電剤としてのカーボンブラック、及び分散媒としてのＮ−メチル−２−ピロリドン（ＮＭＰ）を正極活物質：結着剤：導電剤の質量比が９１：７：２となるように混練し、正極活物質合剤スラリーを作製する。
【００３５】
正極芯体としての厚さ１５μｍのアルミニウム箔の両面に、正極活物質合剤スラリーを
ダイコータにより塗布する。その後、正極活物質合剤スラリーを乾燥させ、正極活物質合剤スラリー中のＮＭＰを除去する。これにより正極活物質合剤層が形成される。その後、正極活物質合剤層を圧縮ローラにより所定の充填密度となるように圧縮処理する。そして、所定の形状に切断し正極板４０とする。
【００３６】
ここで、圧縮処理後の正極活物質合剤層の充填密度を２．５ｇ／ｃｍ３とした。また、正極板４０の長さは４４０ｃｍとし、正極板４０の幅を１３ｃｍとした。また、正極板４０において、正極活物質合剤層４０ｂの幅を１１ｃｍとした。
【００３７】
図４は、正極板４０の平面図である。正極板４０は、長尺状の正極芯体４０ａと、正極芯体４０ａの両面に形成された正極活物質合剤層４０ｂを含む。正極芯体４０ａには、幅方向の端部に、長手方向に沿って両面に正極活物質合剤層４０ｂが形成されていない正極芯体露出部４が設けられている。
【００３８】
［負極板の作製］
負極活物質としての黒鉛、結着剤としてのスチレンブタジエンゴム（ＳＢＲ）、増粘剤としてのカルボキシメチルセルロース（ＣＭＣ）、及び水を、負極活物質：結着剤：増粘剤の質量比が９８：１：１となるように混練し、負極活物質合剤スラリーを作製する。
【００３９】
負極芯体としての厚さ８μｍの銅箔の両面に、負極活物質合剤スラリーをダイコータにより塗布する。その後、負極活物質合剤スラリーを乾燥させ、負極活物質合剤スラリー中の水を除去する。これにより負極活物質合剤層が形成される。その後、負極活物質合剤層を圧縮ローラにより所定の充填密度となるように圧縮処理する。そして、所定の形状に切断し、負極板５０とする。
【００４０】
ここで、圧縮処理後の負極活物質合剤層の充填密度を１．１ｇ／ｃｍ３とした。また、負極板５０の長さは４６０ｃｍとし、負極板５０の幅を１３ｃｍとした。また、負極板５０において、負極活物質合剤層５０ｂの幅を１２ｃｍとした。
【００４１】
図５は、負極板５０の平面図である。負極板５０は、長尺状の負極芯体５０ａと、負極芯体５０ａの両面に形成された負極活物質合剤層５０ｂを含む。負極芯体５０ａには、幅方向の端部に、長手方向に沿って両面に負極活物質合剤層５０ｂが形成されていない負極芯体露出部５が設けられている。
【００４２】
［巻回電極体の作製］
上述の方法で作製した長尺状の正極板４０と長尺状の負極板５０を、長尺状の厚さ２０μｍのポリプロピレン／ポリエチレン／ポリプロピレンの三層セパレータを介して巻回し、偏平状にプレス成形する。得られた偏平状の巻回電極体３は、巻回軸が延びる方向における一方に巻回された正極芯体露出部４を有し、他方の端部に巻回された負極芯体露出部５を有する。
【００４３】
偏平状の巻回電極体３の巻回軸が延びる方向の長さは、１４０ｍｍとした。また、偏平状の巻回電極体３の巻回軸が延びる方向に対して垂直な方向の長さは、５８ｍｍとした。また、偏平状の巻回電極体３の厚みを１５ｍｍとした。また、正極板４０の巻回数は８０とした。なお、上述の通り、正極活物質合剤層４０ｂの幅は負極活物質合剤層５０ｂの幅よりも小さい。このため、発電部の幅（巻回軸が延びる方向の長さ）は、正極活物質合剤層４０ｂの幅と同じ１１ｃｍである。
【００４４】
［非水電解液の調整］
エチレンカーボネート（ＥＣ）とエチルメチルカーボネート（ＥＭＣ）とジエチルカー
ボネート（ＤＥＣ）とを体積比（２５℃、１気圧）で３０：３０：４０となるように混合した混合溶媒を作製した。この混合溶媒に、ＬｉＰＦ６を１ｍｏｌ／Ｌとなるように添加した。さらに非水電解液の総質量に対してその添加量が０．３質量％となるようにビニレンカーボネート（ＶＣ）を添加し、非水電解液の総質量に対してその添加量が１質量％となるようにリチウムビスオキサラトボレートを添加した。
【００４５】
［封口板への部品取り付け］
封口板２に設けられた正極端子取り付け孔（図示省略）の周囲の電池外面側に外部側絶縁部材１０を配置する。封口板２に設けられた正極端子取り付け孔（図示省略）の周囲の電池内面側に内部側絶縁部材１１及び正極集電体６のベース部６ｃを配置する。そして、電池外部側から正極端子７を、外部側絶縁部材１０の貫通孔、正極端子取り付け孔、内部側絶縁部材１１の貫通孔及び正極集電体６のベース部６ｃの貫通孔に挿入し、正極端子７の先端部を正極集電体６のベース部６ｃ上にかしめる。これにより、正極端子７及び正極集電体６が封口板２に固定される。なお、更に、正極端子７とベース部６ｃを溶接することが好ましい。
【００４６】
封口板２に設けられた負極端子取り付け孔（図示省略）の周囲の電池外面側に外部側絶縁部材１２を配置する。封口板２に設けられた負極端子取り付け孔（図示省略）の周囲の電池内面側に内部側絶縁部材１３及び負極集電体８のベース部８ｃを配置する。そして、電池外部側から負極端子９を、外部側絶縁部材１２の貫通孔、負極端子取り付け孔、内部側絶縁部材１３の貫通孔及び負極集電体８のベース部８ｃの貫通孔に挿入し、負極端子９の先端部を負極集電体８のベース部８ｃ上にかしめる。これにより、負極端子９及び負極集電体８が封口板２に固定される。なお、更に、負極端子９とベース部８ｃを溶接することが好ましい。
【００４７】
［巻回電極体への集電体の取り付け］
図６は、偏平状の巻回電極体３において正極集電体６及び負極集電体８が接続された面を示した図である。図６に示すように、巻回された正極芯体露出部４の外面に正極集電体６が接続される。溶接により正極集電体６と正極芯体露出部４には正極接合部９０が形成される。巻回された負極芯体露出部５の外面に負極集電体８が接続される。溶接により負極集電体８と負極芯体露出部５には負極接合部９１が形成される。接続方法は、例えば、抵抗溶接、超音波溶接等により行われる。なお、抵抗溶接を行う場合は、巻回された正極芯体露出部４において正極集電体６が接続された外面と反対側の外面に正極集電体受け部品を接続し、巻回された負極芯体露出部５において負極集電体８が接続された外面と反対側の外面に負極集電体受け部品８０を接続することが好ましい。
【００４８】
［角形二次電池の組み立て］
偏平状の巻回電極体３を樹脂シート１４で覆い、角形外装体１に挿入する。そして、封口板２と角形外装体１を溶接し、角形外装体１の開口を封口板２により封口する。その後、封口板２に設けられた電解液注液孔から非水電解液を注液し、電解液注液孔を封止栓１６により封止する。これにより、角形二次電池２０が作製される。なお、角形二次電池２０の電池容量は、８Ａｈとした。
【００４９】
［偏平状の巻回電極体における各領域について］
図６に示すように、正極集電体６は、巻回された正極芯体露出部４の外面に溶接により接合されており、正極接合部９０が形成されている。負極集電体８は、巻回された負極芯体露出部５の外面に溶接により接合されており、負極接合部９１が形成されている。なお、正極接合部９０及び負極接合部９１は抵抗溶接、超音波溶接、レーザ等のエネルギー線の照射等により形成される。正極接合部９０は、正極芯体の積層方向の全領域に亘って形成されている。即ち、巻回された正極芯体露出部４が、正極接合部９０により一纏まりに
束ねられている。負極接合部９１は、負極芯体の積層方向の全領域に亘って形成されている。即ち、巻回された負極芯体露出部５が、負極接合部９１により一纏まりに束ねられている。
【００５０】
角形外装体１の底部１ａに対して垂直な方向（図６においては上下方向）において、正極接合部９０の中心は、巻回電極体３の中心線３ｘよりも封口板２側に位置する。また、角形外装体１の底部１ａに対して垂直な方向（図６においては上下方向）において、負極接合部９１の中心は、巻回電極体３の中心線３ｘよりも封口板２側に位置する。このような構成であると、正極板４０と正極端子７の間の導電経路、及び負極板５０と負極端子９の間の導電経路が短くなり、より出力特性に優れた角形二次電池となる。
【００５１】
偏平状の巻回電極体３は、巻回軸が延びる方向の中央部に正極活物質合剤層４０ｂと負極活物質合剤層５０ｂがセパレータを介して積層された発電部３ａを有する。発電部３ａは、平坦な外面を有する平坦部３ｂと、封口板２側に位置する湾曲した外面を有する第１湾曲部３ｃと、角形外装体１の底部１ａ側に位置する湾曲した外面を有する第２湾曲部３ｄを有する。第１湾曲部３ｃと平坦部３ｂの境界を第１境界部２５とする。第１境界部２５は、巻回軸が延びる方向に延びる。第２湾曲部３ｄと平坦部３ｂの境界を第２境界部２６とする。第２境界部２６は、巻回軸が延びる方向に延びる。
【００５２】
角形外装体１の底部１ａに対して垂直な方向において、正極接合部９０の封口板２側の端部と第１境界部２５の間の距離をＬ１とする。発電部３ａのうち、角形外装体１の底部１ａに対して垂直な方向において、正極接合部９０の封口板２側の端部から第１境界部２５に向かって０．２５×Ｌ１から０．７５×Ｌ１までの間を第１領域Ａとする。
【００５３】
角形外装体１の底部１ａに対して垂直な方向において、負極側の負極接合部９１の封口板２側の端部と第１境界部２５の間の距離をＬ２とする。発電部３ａのうち、角形外装体１の底部１ａに対して垂直な方向において、負極接合部９１の封口板２側の端部から第１境界部２５に向かって０．２５×Ｌ２から０．７５×Ｌ２までの間を第２領域Ｂとする。
【００５４】
なお、実施形態に係る角形二次電池２０では、角形外装体１の底部１ａに対して垂直な方向において、正極接合部９０の封口板２側の端部と負極接合部９１の封口板２側の端部の位置が同じである。したがって、第１領域Ａと第２領域Ｂは同じ領域となる。
【００５５】
角形外装体１の底部１ａに対して垂直な方向において、正極接合部９０の底部１ａ側の端部と第２境界部２６の間の距離をＬ３とする。発電部３ａのうち、角形外装体１の底部１ａに対して垂直な方向において、正極接合部９０の底部１ａ側の端部から第２境界部２６に向かって０．２５×Ｌ３から０．７５×Ｌ３までの間を第３領域Ｃとする。
【００５６】
角形外装体１の底部１ａに対して垂直な方向において、負極接合部９１の底部１ａ側の端部と第２境界部２６の間の距離をＬ４とする。発電部３ａのうち、角形外装体１の底部１ａに対して垂直な方向において、負極接合部９１の底部１ａ側の端部から第２境界部２６に向かって０．２５×Ｌ４から０．７５×Ｌ４までの間を第４領域Ｄとする。
【００５７】
なお、実施形態に係る角形二次電池２０では、角形外装体１の底部１ａに対して垂直な方向において、正極接合部９０の底部１ａ側の端部と負極接合部９１の底部１ａ側の端部の位置が同じである。したがって、第３領域Ｃと第４領域Ｄは同じ領域となる。
【００５８】
発明者は、偏平状の巻回電極体３において、正極芯体露出部４と正極集電体６の正極接合部９０から特定の距離にある領域と、負極芯体露出部５と負極集電体８の負極接合部９１から特定の距離にある領域が、他の領域に比べて特に充放電等により膨張し易いことを
見出した。より具体的には、偏平状の巻回電極体３において、上述の第１領域Ａ、第２領域Ｂ、第３領域Ｃ及び第４領域が、他の領域に比べて特に充放電等により膨張し易いことを見出した。
【００５９】
この原因は、以下のように考察される。偏平状の巻回電極体３は、充放電サイクルが進むにつれ、活物質の割れや、活物質の膨張、負極活物質層への堆積物の蓄積等の理由により膨張する。ここで、偏平状の巻回電極体３では、正極接合部９０及び負極接合部９１により、その近傍領域では正極板４０及び負極板５０が積層方向により強く拘束された状態となっている。したがって、偏平状の巻回電極体３において、正極接合部９０及び負極接合部９１の近傍では、膨張が抑制される。また、第１湾曲部３ｃ及び第２湾曲部３ｄにおいて、正極板４０及び負極板５０は湾曲した状態で積層されており、この領域では膨張し難い。このため、それぞれ膨張が抑制される正極接合部９０及び負極接合部９１の近傍と、第１湾曲部３ｃ及び第２湾曲部３ｄの間で歪みが蓄積され、巻回軸に対して垂直な方向（角形外装体１の底部１ａに対して垂直な方向）において、正極接合部９０及び負極接合部９１から所定の距離離れた部分が膨張し易くなると考えられる。
【００６０】
そこで、実施形態に係る組電池１００では、角形外装体１の一方の第１側壁１ｂに対して垂直な方向から見たとき、角形二次電池２０の第１側壁１ｂにおいて、偏平状の巻回電極体３における上述の第１領域Ａ、第２領域Ｂ、第３領域Ｃ及び第４領域Ｄのそれぞれと重なる領域を、スペーサ６０により実質的に押圧しないことにより、反力の増加を抑制する。
【００６１】
実施形態に係る組電池１００においては、隣接する角形二次電池２０同士の間に、図７に示すような樹脂製のスペーサ６０を配置する。スペーサ６０において、巻回電極体３の第１領域Ａ及び第２領域Ｂと対応する位置には上方凹部６１が設けられている。なお、上方凹部はスペーサ６０の両面に設けられている。スペーサ６０において、巻回電極体３の第３領域Ｃ及び第４領域Ｄと対応する位置には下方凹部６２が設けられている。なお、下方凹部６２はスペーサ６０の両面に設けられている。このため、組電池１００では、角形外装体１の一方の第１側壁１ｂに対して垂直な方向から見たとき、一方の第１側壁１ｂにおいて第１領域Ａ、第２領域Ｂ、第３領域Ｃ及び第４領域Ｄの少なくとも一つに重なる領域がスペーサ６０により押圧されない構成となる。
【００６２】
組電池１００では、角形二次電池２０の充放電サイクルが進んだ場合であっても、反力の増加を抑制できる。よって、より信頼性の高い組電池となる。
【００６３】
なお、角形外装体１の一方の第１側壁１ｂに対して垂直な方向から見たとき、一方の第１側壁１ｂにおいて第１領域Ａ、第２領域Ｂ、第３領域Ｃ及び第４領域Ｄの少なくとも一つに重なる領域を、スペーサ６０により完全に押圧しない状態とする必要はない。例えば、角形外装体１の一方の第１側壁１ｂに対して垂直な方向から見たとき、一方の第１側壁１ｂにおいて第１領域Ａ及び第２領域Ｂの少なくとも一方に重なる領域のうち、スペーサ６０により押圧される領域は２０％以下であることが好ましく、１０％以下であることがより好ましく、５％以下であることがさらに好ましい。角形外装体１の一方の第１側壁１ｂに対して垂直な方向から見たとき、一方の第１側壁１ｂにおいて第３領域Ｃ及び第４領域Ｄの少なくとも一方に重なる領域のうち、スペーサ６０により押圧される領域は２０％以下であることが好ましく、１０％以下であることがより好ましく、５％以下であることがさらに好ましい。
【００６４】
一対の第１側壁１ｂのうちの一方に対して垂直な方向から見たとき、一対の第１側壁１ｂのうちの一方において発電部３ａの平坦部３ｂと重なり且つ第１領域Ａ、第２領域Ｂ、第３領域Ｃ及び第４領域Ｄと重ならない領域のうち、スペーサ６０により押圧される領域
の面積は、一対の第１側壁１ｂのうちの一方において発電部３ａの平坦部３ｂと重なり且つ第１領域Ａ、第２領域Ｂ、第３領域Ｃ及び第４領域Ｄと重ならない領域の面積の７０％以上であることが好ましく、８０％以上であることがより好ましい。
【００６５】
一対の第１側壁１ｂのうちの他方に対して垂直な方向から見たとき、一対の第１側壁１ｂのうちの他方において発電部３ａの平坦部３ｂと重なり且つ第１領域Ａ、第２領域Ｂ、第３領域Ｃ及び第４領域Ｄと重ならない領域のうち、スペーサ６０により押圧される領域の面積は、一対の第１側壁１ｂのうちの他方において発電部３ａの平坦部３ｂと重なり且つ第１領域Ａ、第２領域Ｂ、第３領域Ｃ及び第４領域Ｄと重ならない領域の面積の７０％以上であることが好ましく、８０％以上であることがより好ましい。
【００６６】
スペーサ６０の両面にはそれぞれ、上方押圧部６３、中央押圧部６４、及び下方押圧部６５が設けられている。そして、上方押圧部６３、中央押圧部６４、及び下方押圧部６５はそれぞれ角形外装体１の第１側壁１ｂを押圧する。スペーサ６０の四隅には角形二次電池２０のずれを防止する壁部６６が設けられることが好ましい。
【００６７】
上述の実施形態に係る角形二次電池２０を用いてサンプル１〜４を作製し、以下の試験を行った。なお、角形二次電池２０のサイズは、幅１４８ｍｍ、高さ６５ｍｍ、厚さ１７．５ｍｍとした。また、サンプル１〜４に用いた角形二次電池２０は、一度充電深度（ＳＯＣ）１００％まで充電した後、充電深度２０％まで放電されたものを用いる。
【００６８】
まず、図８を用いて、サンプル１〜４の共通の構成を説明する。図８は、サンプル１〜４を側面側から見た図である。第１押圧治具１６０は、厚さ１３ｍｍのステンレス板の一方の面に、厚さ２ｍｍのポリプロピレン製の第１押圧部１６０ａと厚さ２ｍｍのポリプロピレン製の第２押圧部１６０ｂが間隔を置いて接着されたものである。第２押圧治具１６１は、厚さ１３ｍｍのステンレス板の一方の面に、厚さ２ｍｍのポリプロピレン製の第３押圧部１６１ａと厚さ２ｍｍのポリプロピレン製の第４押圧部１６１ｂが間隔を置いて接着されたものである。
【００６９】
なお、第１押圧部１６０ａ、第２押圧部１６０ｂ、第３押圧部１６１ａ及び第４押圧部１６１ｂは、偏平状の巻回電極体３の巻回軸が延びる方向に沿って延びている。偏平状の巻回電極体３の巻回軸が延びる方向において、第１押圧部１６０ａ、第２押圧部１６０ｂ、第３押圧部１６１ａ及び第４押圧部１６１ｂのそれぞれの長さは、偏平状の巻回電極体３の長さよりも長い。
【００７０】
角形二次電池２０の一方の第１側壁１ｂと、第１押圧部１６０ａ及び第２押圧部１６０ｂが接するように、第１押圧治具１６０を配置する。角形二次電池２０の他方の第１側壁１ｂと、第３押圧部１６１ａ及び第４押圧部１６１ｂが接するように、第２押圧治具１６１を配置する。そして、第２押圧治具１６１において第３押圧部１６１ａ及び第４押圧部１６１ｂが配置された面とは反対の面側に、厚さ１５ｍｍのステンレス製の中間プレート１７１及びロードセル１７２（ミネベア株式会社製  型式ＣＭＰ１−２Ｔ）を介して、厚さ１９ｍｍのステンレス製のベースプレート１７０を配置する。そして、第１押圧治具１６０、第２押圧治具１６１及びベースプレート１７０のそれぞれの４隅に設けられた貫通孔にボルト１７３を挿入し、ナット１７４により各部材を一纏まりに固定する。ここで、第１押圧治具１６０の第１押圧部１６０ａと第２押圧治具１６１の第３押圧部１６１ａの間の距離を１７．３ｍｍとした際にロードセル１７２に加わる荷重を測定し、各サンプルの初期の反力とした。
【００７１】
以下に説明するサンプル１〜４は、第１押圧治具１６０の第１押圧部１６０ａ及び第２押圧部１６０ｂの位置、第２押圧治具１６１の第３押圧部１６１ａ及び第４押圧部１６１
ｂの位置が異なる以外は同じ構造を有する。
【００７２】
［サンプル１］
図９はサンプル１の角形二次電池２０、第１押圧治具１６０、及び第２押圧治具１６１の第２側壁１ｃに平行な断面の断面図である。サンプル１では、第１押圧部１６０ａと第３押圧部１６１ａにより、偏平状の巻回電極体３の発電部３ａにおいて、正極接合部９０の封口板２側の端部と、正極接合部９０の封口板２側の端部から０．２５×Ｌ１の位置との間の領域が押圧される。なお、ここで、Ｌ１は、上述のように、正極接合部９０の封口板２側の端部から第１境界部２５までの距離である。また、サンプル１では、第２押圧部１６０ｂと第４押圧部１６１ｂにより、偏平状の巻回電極体３の発電部３ａにおいて、正極接合部９０の底部１ａ側の端部と、正極接合部９０の底部１ａ側の端部から０．２５×Ｌ３の位置との間の領域が押圧される。なお、ここで、Ｌ３は、上述のように、正極接合部９０の底部１ａ側の端部から第２境界部２６までの距離である。
【００７３】
［サンプル２］
図１０はサンプル２の角形二次電池２０、第１押圧治具１６０、及び第２押圧治具１６１の第２側壁１ｃに平行な断面の断面図である。サンプル２では、第１押圧部１６０ａと第３押圧部１６１ａにより、偏平状の巻回電極体３の発電部３ａにおいて、正極接合部９０の封口板２側の端部から０．７５×Ｌ１の位置と、正極接合部９０の封口板２側の端部からＬ１の位置（第１境界部２５）との間の領域が押圧される。また、第２押圧部１６０ｂと第４押圧部１６１ｂにより、偏平状の巻回電極体３の発電部３ａにおいて、正極接合部９０の底部１ａ側の端部から０．７５×Ｌ３の位置と、正極接合部９０の底部１ａ側の端部からＬ３の位置（第２境界部２６）との間の領域が押圧される。
【００７４】
［サンプル３］
図１１はサンプル３の角形二次電池２０、第１押圧治具１６０、及び第２押圧治具１６１の第２側壁１ｃに平行な断面の断面図である。サンプル３では、第１押圧部１６０ａと第３押圧部１６１ａにより、偏平状の巻回電極体３の発電部３ａにおいて、正極接合部９０の封口板２側の端部から０．２５×Ｌ１の位置と、正極接合部９０の封口板２側の端部から０．５０×Ｌ１の位置との間の領域が押圧される。また、第２押圧部１６０ｂと第４押圧部１６１ｂにより、偏平状の巻回電極体３の発電部３ａにおいて、正極接合部９０の底部１ａ側の端部から０．２５×Ｌ３の位置と、正極接合部９０の底部１ａ側の端部から０．５０×Ｌ３の位置との間の領域が押圧される。
【００７５】
［サンプル４］
図１２はサンプル４の角形二次電池２０、第１押圧治具１６０、及び第２押圧治具１６１の第２側壁１ｃに平行な断面の断面図である。サンプル４では、第１押圧部１６０ａと第３押圧部１６１ａにより、偏平状の巻回電極体３の発電部３ａにおいて、正極接合部９０の封口板２側の端部から０．５０×Ｌ１の位置と、正極接合部９０の封口板２側の端部から０．７５×Ｌ１の位置との間の領域が押圧される。また、第２押圧部１６０ｂと第４押圧部１６１ｂにより、巻回電極体３の発電部３ａにおいて、正極接合部９０の底部１ａ側の端部から０．５０×Ｌ３の位置と、正極接合部９０の底部１ａ側の端部から０．７５×Ｌ３の位置との間の領域が押圧される。
【００７６】
＜初期の反力＞
上述の方法で測定したサンプル１〜４の初期の反力を表１に示す。なお、表１においては、サンプル３の初期の反力を１００とし、他のサンプルの初期の反力を相対的な数値で示す。
【００７７】
【表１】
2018156838.tif 000003
【００７８】
サンプル３のように、正極接合部９０の封口板２側の端部から０．２５×Ｌ１の位置と、正極接合部９０の封口板２側の端部から０．５０×Ｌ１の位置の間の領域が押圧され、正極接合部９０の底部１ａ側の端部から０．２５×Ｌ３の位置と、正極接合部９０の底部１ａ側の端部から０．５０×Ｌ３の位置との間の領域が押圧された場合、初期の反力が大きくなっている。また、サンプル４のように、正極接合部９０の封口板２側の端部から０．５０×Ｌ１の位置と、正極接合部９０の封口板２側の端部から０．７５×Ｌ１の位置の間の領域が押圧され、正極接合部９０の底部１ａ側の端部から０５０×Ｌ３の位置と、正極接合部９０の底部１ａ側の端部から０．７５×Ｌ３の位置との間の領域が押圧された場合も、初期の反力が比較的大きい。
【００７９】
サンプル１及びサンプル２のように、正極接合部９０の封口板２側の端部から０．２５×Ｌ１の位置と、正極接合部９０の封口板２側の端部から０．７５×Ｌ１の位置の間の領域が押圧されず、正極接合部９０の底部１ａ側の端部から０．２５×Ｌ３の位置と、正極接合部９０の底部１ａ側の端部から０．７５×Ｌ３の位置との間の領域が押圧されない場合、初期の反力を低く抑えられることが分かる。
【００８０】
ここで、初期の反力の増加は以下の要因によると考えられる。まず、角形二次電池２０の組み立て工程において、巻回電極体３内に非水電解液が浸入することにより、巻回電極体３を構成する部材が膨張する。例えば、正極活物質合剤層や負極活物質合剤層に含まれる結着剤が非水電解液により膨潤すること等が考えられる。また、角形二次電池２０は、充電処理を経ているため、活物質合剤層上での被膜の生成や活物質合剤層の膨張等により巻回電極体３が膨張するものと考えられる。
【００８１】
そして、このような巻回電極体３の膨張の度合いは、巻回電極体３における各領域により異なる。このため、上述の通り、角形二次電池２０を押圧する位置により、初期の反力も大きく異なる。したがって、本発明では、集電体と芯体露出部の接合部を基準として特定の領域を押圧しないことにより、反力を低減できる。
【００８２】
ここで、偏平状の巻回電極体３では、正極接合部９０及び負極接合部９１により、その近傍領域では正極板４０及び負極板５０が積層方向により強く拘束された状態となっている。したがって、偏平状の巻回電極体３において、正極接合部９０及び負極接合部９１の近傍では、膨張が抑制される。また、第１湾曲部３ｃ及び第２湾曲部３ｄにおいて、正極板４０及び負極板５０は湾曲した状態で積層されており、この領域では膨張し難い。このため、それぞれ膨張が抑制される正極接合部９０及び負極接合部９１の近傍と、第１湾曲
部３ｃ及び第２湾曲部３ｄの間で歪みが蓄積され、巻回軸に対して垂直な方向（角形外装体１の底部１ａに対して垂直な方向）において、正極接合部９０及び負極接合部９１から所定の距離離れた部分が膨張し易くなると考えられる。
【００８３】
なお、第１側壁１ｂに対して垂直な方向から見たとき、第１側壁１ｂにおいて、平坦部３ｂと重なる領域で、且つ、正極接合部９０の封口板２側の端部から０．２５×Ｌ１の位置と正極接合部９０の封口板２側の端部から０．５０×Ｌ１の位置の間の領域と重なる領域は、スペーサ６０により実質的に押圧されないことが好ましい。例えば、当該領域の９５％以上がスペーサ６０により押圧されないようにすることが好ましい。また、第１側壁１ｂに対して垂直な方向から見たとき、第１側壁１ｂにおいて、平坦部３ｂと重なる領域で、且つ、正極接合部９０の底部１ａ側の端部から０．２５×Ｌ３の位置と、正極接合部９０の底部１ａ側の端部から０．５０×Ｌ３の位置との間の領域と重なる領域は、スペーサ６０により実質的に押圧されないことが好ましい。例えば、当該領域の９５％以上がスペーサ６０により押圧されないようにすることが好ましい。
【００８４】
＜充放電サイクル後の反力＞
サンプル５及び６について、充放電サイクル試験を行った。サンプル５及びサンプル６の構成は以下の通りである。
【００８５】
［サンプル５］
サンプル５では、第１押圧治具１６０の第１押圧部１６０ａ及び第２押圧部１６０ｂに関する構成、第２押圧治具１６１の第３押圧部１６１ａ及び第４押圧部１６１ｂに関する構成が異なる以外は、上述のサンプル１〜４と同じ構造を有する。サンプル５では、第１押圧治具１６０に二つの第１押圧部１６０ａと二つの第２押圧部１６０ｂを設け、第２押圧治具１６１に二つの第３押圧部１６１ａと二つの第４押圧部１６１ｂを設けた。そして、角形二次電池２０の一対の第１側壁１ｂにおいて、サンプル１及びサンプル２においてそれぞれ押圧された位置を押圧するようにした。即ち、偏平状の巻回電極体３の発電部３ａにおいて、正極接合部９０の封口板２側の端部と、正極接合部９０の封口板２側の端部から０．２５×Ｌ１の位置との間の領域、正極接合部９０の封口板２側の端部から０．７５×Ｌ１の位置と、正極接合部９０の封口板２側の端部からＬ１の位置（第１境界部２５）との間の領域が押圧されるようにした。また、偏平状の巻回電極体３の発電部３ａにおいて、正極接合部９０の底部１ａ側の端部と、正極接合部９０の底部１ａ側の端部から０．２５×Ｌ３の位置との間の領域、正極接合部９０の底部１ａ側の端部から０．７５×Ｌ３と、正極接合部９０の底部１ａ側の端部からＬ３の位置（第２境界部２６）との間の領域が押圧されるようにした。
【００８６】
［サンプル６］
サンプル６では、第１押圧治具１６０の第１押圧部１６０ａ及び第２押圧部１６０ｂに関する構成、第２押圧治具１６１の第３押圧部１６１ａ及び第４押圧部１６１ｂに関する構成が異なる以外は、上述のサンプル１〜４と同じ構造を有する。サンプル６では、第１押圧治具１６０の第１押圧部１６０ａ及び第２押圧部１６０ｂの幅をそれぞれ広げ、第２押圧治具１６１の第３押圧部１６１ａ及び第４押圧部１６１ｂの幅を広げた。そして、角形二次電池２０の一対の第１側壁１ｂにおいて、サンプル３及びサンプル４においてそれぞれ押圧された位置を押圧するようにした。即ち、偏平状の巻回電極体３の発電部３ａにおいて、正極接合部９０の封口板２側の端部から０．２５×Ｌ１の位置と、正極接合部９０の封口板２側の端部から０．７５×Ｌ１の位置の間の領域が押圧されるようにした。また、偏平状の巻回電極体３の発電部３ａにおいて、正極接合部９０の底部１ａ側の端部から０．２５×Ｌ３の位置と、正極接合部９０の底部１ａ側の端部から０．７５×Ｌ３の位置の間の領域が押圧されるようにした。
【００８７】
サンプル５及び６について、第１押圧治具１６０の第１押圧部１６０ａと第２押圧治具１６１の第３押圧部１６１ａの間の距離を１７．６ｍｍに固定し、５５℃の条件下で、以下の試験を行った。
＜充放電サイクル試験＞
角形二次電池２０の充電深度（ＳＯＣ）を３０％に調整した。次に１Ｃ放電容量（ＳＯＣ１００％から０％まで１Ｃで放電した際の容量）の５０％の容量分を１０Ｃで充電し、連続して同容量分を１０Ｃで放電するサイクルを、スループットが１００ｋＷｈ（充電、放電スループットの積算）に到達するまで繰り返した。
【００８８】
充放電サイクル試験前後での、ロードセル１７２に加わる荷重の増加量を、反力の増加量とした。上述の方法で測定したサンプル５及びサンプル６の反力の増加量を表２に示す。なお、表２においては、サンプル５の反力の増加量を１００とし、サンプル６の反力の増加量を相対的な数値で示す。
【００８９】
【表２】
2018156838.tif 000004
【００９０】
サンプル６の試験結果から分かるように、偏平状の巻回電極体３の発電部３ａにおいて、正極接合部９０の封口板２側の端部から第１境界部２５に向かって０．２５×Ｌ１の位置と、正極接合部９０の封口板２側の端部から第１境界部２５に向かって０．７５×Ｌ１の位置の間の領域、及び正極接合部９０の底部１ａ側の端部から第２境界部２６に向かって０．２５×Ｌ３の位置と、正極接合部９０の底部１ａ側の端部から第２境界部２６に向かって０．７５×Ｌ３の位置の間の領域は、膨張の度合いが大きく、この領域を押圧すると反力の増加が大きい。
【００９１】
偏平状の巻回電極体３の発電部３ａにおいて、正極接合部９０の封口板２側の端部から第１境界部２５に向かって０．２５×Ｌ１の位置と、正極接合部９０の封口板２側の端部から第１境界部２５に向かって０．７５×Ｌ１の位置の間の領域、及び正極接合部９０の底部１ａ側の端部から第２境界部２６に向かって０．２５×Ｌ３の位置と、正極接合部９０の底部１ａ側の端部から第２境界部２６に向かって０．７５×Ｌ３の位置の間の領域を押圧しないサンプル５では、充放電サイクルによる反力の増加を抑制できることが分かる。
【００９２】
［変形例１］
上述の実施形態に係る角形二次電池２０では、角形外装体１の底部１ａに対して垂直な方向において、正極接合部９０の封口板２側の端部と負極接合部９１の封口板２側の端部の位置が同じであり、正極接合部９０の底部１ａ側の端部と負極接合部９１の底部１ａ側の端部の位置が同じであった。変形例１に係る角形二次電池では、角形外装体１の底部１ａに対して垂直な方向において、正極接合部９０と負極接合部９１の位置が異なる。なお、変形例１に係る角形二次電池は、正極接合部９０と負極接合部９１の位置以外は実施形
態に係る角形二次電池２０と同様の構成を有する。
【００９３】
図１３は、変形例１に係る角形二次電池の偏平状の巻回電極体３において、正極集電体６及び負極集電体８が接続された側の面を示す図である。
【００９４】
角形外装体１の底部１ａに対して垂直な方向において、正極接合部９０の封口板２側の端部と第１境界部２５の距離をＬ１とする。発電部３ａのうち、角形外装体１の底部１ａに対して垂直な方向において、正極接合部９０の封口板２側の端部から第１境界部２５に向かって０．２５×Ｌ１から０．７５×Ｌ１までの間を第１領域Ａとする。
【００９５】
角形外装体１の底部１ａに対して垂直な方向において、負極接合部９１の封口板２側の端部と第１境界部２５の距離をＬ２とする。発電部３ａのうち、角形外装体１の底部１ａに対して垂直な方向において、負極接合部９１の封口板２側の端部から第１境界部２５に向かって０．２５×Ｌ２から０．７５×Ｌ２までの間を第２領域Ｂとする。
【００９６】
ここで、偏平状の巻回電極体３において第１領域Ａと第２領域Ｂが膨張し易い。したがって、一対の第１側壁１ｂのうちの一方に対して垂直な方向から見たとき、一対の第１側壁１ｂのうちの一方において第１領域Ａ及び第２領域Ｂの少なくとも一方と重なる領域においてスペーサ６０により押圧される領域の面積は、一対の第１側壁１ｂのうちの一方において第１領域Ａ及び第２領域Ｂの少なくとも一方と重なる領域の面積の２０％以下であることが好ましく、１０％以下であることがより好ましく、５％以下であることがさらに好ましい。
【００９７】
角形外装体１の底部１ａに対して垂直な方向において、正極接合部９０の底部１ａ側の端部と第２境界部２６の距離をＬ３とする。発電部３ａのうち、角形外装体１の底部１ａに対して垂直な方向において、正極接合部９０の底部１ａ側の端部から第２境界部２６に向かって０．２５×Ｌ３から０．７５×Ｌ３までの間を第３領域Ｃとする。
【００９８】
角形外装体１の底部１ａに対して垂直な方向において、負極接合部９１の底部１ａ側の端部と第２境界部２６の距離をＬ４とする。発電部３ａのうち、角形外装体１の底部１ａに対して垂直な方向において、負極接合部９１の底部１ａ側の端部から第２境界部２６に向かって０．２５×Ｌ４から０．７５×Ｌ４までの間を第４領域Ｄとする。
【００９９】
ここで、偏平状の巻回電極体３において第３領域Ｃと第４領域Ｄが膨張し易い。したがって、一対の第１側壁１ｂのうちの一方に対して垂直な方向から見たとき、一対の第１側壁１ｂのうちの一方において第３領域Ｃ及び第４領域Ｄの少なくとも一方と重なる領域においてスペーサ６０により押圧される領域の面積は、一対の第１側壁１ｂのうちの一方において第３領域Ｃ及び第４領域Ｄの少なくとも一方と重なる領域の面積の２０％以下であることが好ましく、１０％以下であることがより好ましく、５％以下であることがさらに好ましい。
【０１００】
一対の第１側壁１ｂのうちの一方に対して垂直な方向から見たとき、一対の第１側壁１ｂのうちの一方において発電部３ａの平坦部３ｂと重なり且つ第１領域Ａ、第２領域Ｂ、第３領域Ｂ及び第４領域Ｄと重ならない領域のうち、スペーサ６０により押圧される領域の面積は、一対の第１側壁１ｂのうちの一方において発電部３ａの平坦部３ｂと重なり且つ第１領域Ａ、第２領域Ｂ、第３領域Ｂ及び第４領域Ｄと重ならない領域の面積の７０％以上であることが好ましく、８０％以上であることがより好ましい。
【０１０１】
［変形例２］
図１４は、変形例２に係る角形二次電池の偏平状の巻回電極体３において、正極集電体
６及び負極集電体８が接続された側の面を示す図である。なお、変形例２に係る角形二次電池は、変形例１に係る角形二次電池と同様の構造を有する。
【０１０２】
図１４に示すように、偏平状の巻回電極体３の巻回軸が延びる方向（図１４において左右方向）において、偏平状の巻回電極体３の発電部３ａの平坦部３ｂの幅をＷ１とする。そして、巻回軸が延びる方向において、平坦部３ｂの中心線から一方側に０．２５×Ｗ１の位置と、発電部３ａの中心線から他方側に０．２５×Ｗ１の位置との間の領域を第５領域とする。そして、一方の第１側壁１ｂに対して垂直な方向から見たとき、一方の第１側壁１ｂにおいて第１領域Ａ及び第２領域Ｂの少なくとも一方と重なり且つ第５領域と重なる領域、即ち一方の第１側壁１ｂにおいて図１４のＡ１及びＢ１の少なくとも一方と重なる領域のうち、スペーサ６０により押圧される領域の面積は、一方の第１側壁１ｂにおいて第１領域Ａ及び第２領域Ｂの少なくとも一方と重なり且つ第５領域と重なる領域の面積の５％以下であることが好ましい。
【０１０３】
また、一方の第１側壁１ｂに対して垂直な方向から見たとき、一方の第１側壁１ｂにおいて第３領域Ｃ及び第４領域Ｄの少なくとも一方と重なり且つ第５領域と重なる領域、即ち一方の第１側壁１ｂにおいて図１４のＣ１及びＤ１の少なくとも一方と重なる領域のうち、スペーサ６０により押圧される領域の面積は、一方の第１側壁１ｂにおいて第１領域Ａ及び第２領域Ｂの少なくとも一方と重なり且つ第５領域と重なる領域の面積の５％以下であることが好ましい。
【０１０４】
更に、他方の第１側壁１ｂに対して垂直な方向から見たとき、他方の第１側壁１ｂにおいて第１領域Ａ及び第２領域Ｂの少なくとも一方と重なり且つ第５領域と重なる領域、即ち図１４においてＡ１及びＢ１の少なくとも一方と重なる領域のうち、スペーサにより押圧される領域の面積は、他方の第１側壁１ｂにおいて第１領域Ａ及び第２領域Ｂの少なくとも一方と重なり且つ第５領域と重なる領域の面積の５％以下であることが好ましい。
【０１０５】
更に、他方の第１側壁１ｂに対して垂直な方向から見たとき、他方の第１側壁１ｂにおいて第３領域Ｃ及び第４領域Ｄの少なくとも一方と重なり且つ第５領域と重なる領域、即ち図１４においてＣ１及びＤ１の少なくとも一方と重なる領域のうち、スペーサにより押圧される領域の面積は、他方の第１側壁１ｂにおいて第３領域Ｃ及び第４領域Ｄの少なくとも一方と重なり且つ第５領域と重なる領域の面積の５％以下であることが好ましい。
【０１０６】
また、一方の第１側壁１ｂに対して垂直な方向から見たとき、一方の第１側壁１ｂにおいて平坦部３ｂと重なり且つ領域Ａ１、領域Ｂ１、領域Ｃ１及び領域Ｄ１のいずれとも重ならない領域のうち、スペーサにより押圧される面積は、一方の第１側壁１ｂにおいて平坦部３ｂと重なり且つ領域Ａ１、領域Ｂ１、領域Ｃ１及び領域Ｄ１のいずれとも重ならない領域の面積の７０％以上であることが好ましい。
【０１０７】
また、  他方の第１側壁１ｂに対して垂直な方向から見たとき、他方の第１側壁１ｂにおいて平坦部３ｂと重なり且つ領域Ａ１、領域Ｂ１、領域Ｃ１及び領域Ｄ１のいずれとも重ならない領域のうち、スペーサにより押圧される面積は、他方の第１側壁１ｂにおいて平坦部３ｂと重なり且つ領域Ａ１、領域Ｂ１、領域Ｃ１及び領域Ｄ１のいずれとも重ならない領域の面積の７０％以上であることが好ましい。
【０１０８】
なお、変形例２においては、図１５に示すようなスペーサ７０を用いることができる。スペーサ７０の両面には、それぞれ上方凹部７１、下方凹部７２が設けられている。
【０１０９】
一方の第１側壁１ｂに対して垂直な方向から見たとき、一方の第１側壁１ｂにおいて第１領域Ａ及び第２領域Ｂの少なくとも一方と重なり且つ第５領域と重なる領域、即ち一方
の第１側壁１ｂにおいて図１４のＡ１及びＢ１の少なくとも一方と重なる領域と、上方凹部７１が対向するように配置される。一方の第１側壁１ｂに対して垂直な方向から見たとき、一方の第１側壁１ｂにおいて第３領域Ｃ及び第４領域Ｄの少なくとも一方と重なり且つ第５領域と重なる領域、即ち一方の第１側壁１ｂにおいて図１４のＣ１及びＤ１の少なくとも一方と重なる領域と、下方凹部７２が対向するように配置される。
【０１１０】
スペーサ７０は押圧部７３を有し、押圧部７３が角形外装体１の第１側壁を押圧する。
なお、スペーサ７０の四隅には角形二次電池のずれを防止する壁部７４が設けられることが好ましい。また、上方凹部７１、下方凹部７２及び押圧部７３は、スペーサ７０の両面に設けられている。
【０１１１】
［その他］
正極板、負極板、非水電解質、セパレータ等の各材料は、リチウムイオン二次電池に使用される公知のものを使用することができる。
【０１１２】
正極活物質としては、リチウム遷移金属複合酸化物を用いることが好ましい。リチウム遷移金属複合酸化物としては、コバルト酸リチウム、マンガン酸リチウム、ニッケル酸リチウム、リチウムニッケルマンガン複合酸化物、リチウムニッケルコバルト複合酸化物、リチウムニッケルコバルトマンガン複合酸化物等が挙げられる。また、上記のリチウム遷移金属複合酸化物にＡｌ、Ｔｉ、Ｚｒ、Ｗ、Ｎｂ、Ｂ、Ｍｇ又はＭｏ等を添加したものも使用し得る。
【０１１３】
負極活物質としてはリチウムイオンの吸蔵・放出が可能な炭素材料を用いることが好ましい。リチウムイオンの吸蔵・放出が可能な炭素材料としては、黒鉛、難黒鉛性炭素、易黒鉛性炭素、繊維状炭素、コークス及びカーボンブラック等が挙げられる。これらの内、特に黒鉛が好ましい。さらに、非炭素系材料としては、シリコン、スズ、及びそれらを主とする合金や酸化物などが挙げられる。
【０１１４】
非水電解質の非水溶媒（有機溶媒）としては、カーボネート類、ラクトン類、エーテル類、ケトン類、エステル類等を使用することができ、これらの溶媒の２種類以上を混合して用いることができる。例えば、エチレンカーボネート、プロピレンカーボネート、ブチレンカーボネート等の環状カーボネート、ジメチルカーボネート、エチルメチルカーボネート、ジエチルカーボネート等の鎖状カーボネートを用いることができる。特に、環状カーボネートと鎖状カーボネートとの混合溶媒を用いることが好ましい。また、ビニレンカーボネート（ＶＣ）などの不飽和環状炭酸エステルを非水電解質に添加することもできる。
【０１１５】
非水電解質の電解質塩としては、従来のリチウムイオン二次電池において電解質塩として一般に使用されているものを用いることができる。例えば、ＬｉＰＦ６、ＬｉＢＦ４、ＬｉＣＦ３ＳＯ３、ＬｉＮ（ＣＦ３ＳＯ２）２、ＬｉＮ（Ｃ２Ｆ５ＳＯ２）２、ＬｉＮ（ＣＦ３ＳＯ２）（Ｃ４Ｆ９ＳＯ２）、ＬｉＣ（ＣＦ３ＳＯ２）３、ＬｉＣ（Ｃ２Ｆ５ＳＯ２）３、ＬｉＡｓＦ６、ＬｉＣｌＯ４、Ｌｉ２Ｂ１０Ｃｌ１０、Ｌｉ２Ｂ１２Ｃｌ１２、ＬｉＢ（Ｃ２Ｏ４）２、ＬｉＢ（Ｃ２Ｏ４）Ｆ２、ＬｉＰ（Ｃ２Ｏ４）３、ＬｉＰ（Ｃ２Ｏ４）２Ｆ２、ＬｉＰ（Ｃ２Ｏ４）Ｆ４等及びそれらの混合物が用いられる。これらの中でも、ＬｉＰＦ６が特に好ましい。また、前記非水溶媒に対する電解質塩の溶解量は、０．５〜２．０ｍｏｌ／Ｌとするのが好ましい。
【０１１６】
セパレータとしては、樹脂製の多孔膜を用いることが好ましい。例えば、ポリオレフィン製の多孔膜を用いることが好ましい。ポリオレフィンとしては特に、ポリプロピレン（ＰＰ）やポリエチレン（ＰＥ）などが好ましい。また、ポリプロピレン（ＰＰ）とポリエ
チレン（ＰＥ）の３層構造（ＰＰ/ＰＥ/ＰＰ、あるいはＰＥ/ＰＰ/ＰＥ）を有するセパレータを用いることもできる。また、ポリマー電解質をセパレータとして用いてもよい。
【０１１７】
正極活物質合剤層の充填密度は、１．５ｇ／ｃｍ３〜４．０ｇ／ｃｍ３であることが好ましく、２．０ｇ／ｃｍ３〜３．０ｇ／ｃｍ３であることがより好ましい。負極活物質合剤層の充填密度は、０．５ｇ／ｃｍ３〜２．５ｇ／ｃｍ３であることが好ましく、０．８ｇ／ｃｍ３〜１．８ｇ／ｃｍ３であることがより好ましい。
【０１１８】
偏平状の巻回電極体の巻回軸が延びる方向における偏平状の巻回電極体の長さは、５０ｍｍ〜２００ｍｍであることが好ましく、９０ｍｍ〜１６０ｍｍであることがより好ましい。偏平状の巻回電極体の巻回軸に対して垂直な方向（角形外装体の底部に対して垂直な方向）における偏平状の巻回電極体の長さは、５０ｍｍ〜１００ｍｍであることが好ましく、５０ｍｍ〜８０ｍｍであることがより好ましい。偏平状の巻回電極体の厚みは、５ｍｍ〜３０ｍｍであることが好ましく、８ｍｍ〜２０ｍｍであることがより好ましい。
【０１１９】
偏平状の巻回電極体において、正極板の巻回数は２０〜１２０であることが好ましく、３０〜１００であることがより好ましい。
【符号の説明】
【０１２０】
２０・・・角形二次電池
１・・・角形外装体
１ａ・・・底部
１ｂ・・・第１側壁
１ｃ・・・第２側壁
２・・・封口板
３・・・巻回電極体
３ａ・・・発電部
３ｂ・・・平坦部
３ｃ・・・第１湾曲部
３ｄ・・・第２湾曲部
２５・・・第１境界部
２６・・・第２境界部
４０・・・正極板
４０ａ・・・正極芯体
４０ｂ・・・正極活物質合剤層
４・・・正極芯体露出部
５０・・・負極板
５０ａ・・・負極芯体
５０ｂ・・・負極活物質合剤層
５・・・負極芯体露出部
６・・・正極集電体
６ａ・・・接続部
６ｂ・・・リード部
６ｃ・・・ベース部
７・・・正極端子
８・・・負極集電体
８ａ・・・接続部
８ｂ・・・リード部
８ｃ・・・ベース部
９・・・負極端子
１０・・・外部側絶縁部材
１１・・・内部側絶縁部材
１２・・・外部側絶縁部材
１３・・・内部側絶縁部材
１４・・・樹脂シート
１５・・・ガス排出弁
１６・・・封止栓
１００・・・組電池
１０１・・・エンドプレート
１０２・・・バインドバー
１０３・・・ボルト
１０４・・・バスバー
６０・・・スペーサ
６１・・・上方凹部
６２・・・下方凹部
６３・・・上方押圧部
６４・・・中央押圧部
６５・・・下方押圧部
６６・・・壁部
７０・・・スペーサ
７１・・・上方凹部
７２・・・下方凹部
７３・・・押圧部
７４・・・壁部
８０・・・負極集電体受け部品
９０・・・正極接合部
９１・・・負極接合部
１６０・・・第１押圧治具
１６０ａ・・・第１押圧部
１６０ｂ・・・第２押圧部
１６１・・・第２押圧治具
１６１ａ・・・第３押圧部
１６１ｂ・・・第４押圧部
１７０・・・ベースプレート
１７１・・・中間プレート
１７２・・・ロードセル
１７３・・・ボルト
１７４・・・ナット
【図１】
2018156838.tif 000005
【図２】
2018156838.tif 000006
【図３】
2018156838.tif 000007
【図４】
2018156838.tif 000008
【図５】
2018156838.tif 000009
【図６】
2018156838.tif 000010
【図７】
2018156838.tif 000011
【図８】
2018156838.tif 000012
【図９】
2018156838.tif 000013
【図１０】
2018156838.tif 000014
【図１１】
2018156838.tif 000015
【図１２】
2018156838.tif 000016
【図１３】
2018156838.tif 000017
【図１４】
2018156838.tif 000018
【図１５】
2018156838.tif 000019